(57)【要約】【課題】人の入退室を確実に判断することができながらも、安価な構成で済ませる。【解決手段】室１への入室を許可された権限者が所持する非接触式ＩＣカード３を読取るための入口側カードリーダ９、出口側カードリーダ１０を設ける。扉４のロック、ロック解除を行うロック機構５、扉開閉検知センサ６を設ける。制御装置１１は、入口側カードリーダ９の認証動作により権限者が確認され、扉４のロック解除後に扉開閉検知センサ６により扉４の開閉が検出され、その後、出口側カードリーダ１０の認証動作により同一の権限者が確認されたときに、当該権限者が入室したと判断する。制御装置１１は、出口側カードリーダ１０の認証動作により権限者が確認され、扉４のロック解除後に扉開閉検知センサ６により扉４の開閉が検出され、その後、入口側カードリーダ９の認証動作により同一の権限者が確認されたときに、当該権限者が退室したと判断する。【選択図】図１
2008297804.tif 000002
【特許請求の範囲】
【請求項１】
出入口の扉を自動でロック及びロック解除するロック機構を備え、権限者のみに入室が許可された室における、前記権限者の入退室を管理する入退室管理システムであって、
前記出入口近傍の室外側に位置して設けられ前記権限者の認証動作を行う入口側認証端末と、
前記出入口近傍の室内側に位置して設けられ前記権限者の認証動作を行う出口側認証端末と、
前記入口側認証端末又は出口側認証端末の認証動作によって権限者を確認することに基づいて前記ロック機構による前記扉のロック解除を実行させるロック解除制御手段と、
前記扉の開閉を検知する扉開閉検知手段と、
前記権限者の入室及び退室の判断を行う判断手段とを具備すると共に、
前記判断手段は、前記入口側認証端末の認証動作により権限者が確認され、それに伴う前記ロック解除制御手段によるロック解除後に前記扉開閉検知手段により前記扉の開閉が検出され、その後前記出口側認証端末の認証動作により同一の権限者が確認されたときに、当該権限者が入室したと判断し、
前記出口側認証端末の認証動作により権限者が確認され、それに伴う前記ロック解除制御手段によるロック解除後に前記扉開閉検知手段により前記扉の開閉が検出され、その後前記入口側認証端末の認証動作により同一の権限者が確認されたときに、当該権限者が退室したと判断するように構成されていることを特徴とする入退室管理システム。
【請求項２】
前記判断手段による入退室の判断に基づいて、室内の設備を制御する室内設備制御手段を備えることを特徴とする請求項１記載の入退室管理システム。
【請求項３】
前記判断手段は、前記扉開閉検知手段により前記扉の開閉が検出された後、一定時間内に次の認証動作が行われないときに、エラー処理を実行することを特徴とする請求項１又は２記載の入退室管理システム。
【発明の詳細な説明】
【技術分野】
【０００１】
本発明は、出入口の扉を自動でロック及びロック解除するロック機構を備え、権限者のみに入室が許可された室における、前記権限者の入退室を管理する入退室管理システムに関する。
【背景技術】
【０００２】
例えば企業や研究機関等においては、機密保持等のために、特定の部屋について、社員などの入室を許可された権限者のみが入室できるような入退室管理システムを設けることが行われている。例えば特許文献１には、次のような入退室管理システムが開示されている。即ち、このシステムは、部屋の入口側及び出口側に夫々設けられた入口側カードリーダ及び出口側カードリーダ、ドアに設けられた電気錠、ドアが開かれたことを検知するドア開検知センサ、全体を制御するコントローラなどから構成される。また、入室が許可されている権限者は、ＩＤカードを所持するようになっており、前記コントローラには、予め登録された権限者のＩＤ情報が登録されている。
【０００３】
これにて、前記コントローラは、入口側カードリーダによりＩＤカードが読取られ、照合がＯＫであるときに、電気錠を解錠させ、その後ドア開検知センサによりドアが開かれたことが検知されると、当該権限者の入室を記録する（フラグを１にする）。そして、出口側カードリーダによりＩＤカードが読取られ、照合がＯＫであるときに、電気錠を解錠させ、その後ドア開検知センサによりドアが開かれたことが検知されると、当該権限者が退出したと判断する（フラグを０にする）ようになっている。さらに、コントローラは、室内が無人であると判断される場合には、部屋の照明設備や空調設備の電源をオフするようになっている。
【特許文献１】特開平２−３０９４９９号公報
【発明の開示】
【発明が解決しようとする課題】
【０００４】
ところで、上記したような入退室管理システムにおいては、人の入室、退室を、入退室の操作（カード読取り操作）後のドアの開閉に基づいて判断するようにしている。ところが、例えば、入室しようとする者が、入室操作を行ってドアを開けたものの、その途中で事情が変わって実際には入室しないといったケースや、退室時にも同様に退室しようとして止めるようなケースも考えられる。そのような場合、人の正確な入退室（在室人数）を把握できなくなる不都合が起こる。
【０００５】
そこで、そのような不具合に対処するために、上記特許文献１では、室内の人の存在を検出するための人感知センサを設け、コントローラは、全員が退出したと判断し（全員のフラグが０であり）、且つ、人感知センサが無人を感知していることを条件に、室内が無人であると判断するようにしている。しかし、上記従来技術では、人感知センサを設けることが余分に必要となり、その分、コストアップを招いてしまうものとなっていた。特に、広い部屋の場合、死角がないように多数個の人感知センサを設けなければならなくなる事情がある。
【０００６】
本発明は上記事情に鑑みてなされたもので、その目的は、人の入室、退室を確実に判断することができながらも、安価な構成で済ませることができる入退室管理システムを提供するにある。
【課題を解決するための手段】
【０００７】
上記目的を達成するために、本発明の入退室管理システムは、出入口近傍の室外側に位置して設けられ入室が許可された権限者の認証動作を行う入口側認証端末と、出入口近傍の室内側に位置して設けられ権限者の認証動作を行う出口側認証端末と、前記入口側認証端末又は出口側認証端末の認証動作によって権限者を確認することに基づいてロック機構による出入口の扉のロック解除を実行させるロック解除制御手段と、扉の開閉を検知する扉開閉検知手段と、前記権限者の入室及び退室の判断を行う判断手段とを具備すると共に、前記判断手段は、前記入口側認証端末の認証動作により権限者が確認され、それに伴う前記ロック解除制御手段によるロック解除後に前記扉開閉検知手段により前記扉の開閉が検出され、その後前記出口側認証端末の認証動作により同一の権限者が確認されたときに、当該権限者が入室したと判断し、前記出口側認証端末の認証動作により権限者が確認され、それに伴う前記ロック解除制御手段によるロック解除後に前記扉開閉検知手段により前記扉の開閉が検出され、その後前記入口側認証端末の認証動作により同一の権限者が確認されたときに、当該権限者が退室したと判断するように構成したところに特徴を有する（請求項１の発明）。
【０００８】
上記構成においては、権限者が入室するにあたって、まず、入口側認証端末による認証動作が行われ、権限者であると確認された場合には、ロック解除制御手段による扉のロック解除が行なわれる。これにより、権限者は、扉を開けて入室することができ、その際の扉の開閉が扉開閉検知手段により検出される。次いで、権限者は、出口側認証端末による認証動作が行われることにより、判断手段によって当該権限者が入室したと判断される。これにて、権限者が実際に入室し、出口側認証端末の認証動作によって同一の権限者と確認されて初めて入室したと判断されることになる。認証が一致しなかった場合には、扉はロックされたままであるので、権限を有しない者が入室できないことは勿論である。
【０００９】
また、同様に、在室している権限者が退室するにあたって、まず、出口側認証端末による認証動作が行われ、権限者であると確認された場合には、ロック解除制御手段による扉のロック解除が行なわれる。これにより、権限者は、扉を開けて退室することができ、その際の扉の開閉が扉開閉検知手段により検出される。次いで、権限者は、入口側認証端末による認証動作が行われることにより、判断手段によって当該権限者が退出したと判断される。これにて、在室していた権限者が実際に退出し、入口側認証端末の認証動作によって同一の権限者と確認されて初めて退出したと判断されることになる。
【００１０】
これにより、入室時及び退室時に、夫々２回の認証動作を行うことによって、権限者の入退室を確実に判断することができる。この場合、人感知センサ等の余分な構成を付加する必要はないので、安価に済ませることができるものである。
【００１１】
また、本発明の入退室管理システムにおいては、前記判断手段による入退室の判断に基づいて、室内の設備を制御する室内設備制御手段を設けることができる（請求項２の発明）。判断手段による確実な入退室の判断に基づいて、室内の設備を効果的に制御することができる。
【００１２】
さらに、本発明の入退室管理システムにおいては、前記判断手段を、扉開閉検知手段により扉の開閉が検出された後、一定時間内に次の認証動作が行われないときに、エラー処理を実行するように構成しても良い（請求項３の発明）。一定時間を適切に設定（必要且つ十分な時間）しておくことにより、権限者が入退室の仕方（認証端末の使い方）を誤った場合等に、速やかにエラー処理が行われるようになり、有効となる。
【００１３】
尚、本発明における、認証を行うための手法としては、ＩＤを記憶した非接触ＩＣカードやＲＦＩＤタグを用いる、ＩＤを記録した磁気カードを用いる、バーコードや二次元コード等のコードを記したカードを用いる、暗証番号（パスワード）を用いる、指紋，声紋，静脈等の権限者の身体的特徴を用いる等、様々な手法を採用することが可能である。従って、それらに応じて、認証端末としても様々な構成のものを採用することができる。
【発明を実施するための最良の形態】
【００１４】
以下、本発明を具体化した一実施例について、図面を参照しながら説明する。図１及び図２は、例えば企業の執務室や研究室等の機密保持を要する室１に、本実施例に係る入退室管理システム２を組込んだ様子を概略的に示している。尚、本実施例では、例えば企業の従業員のみが、前記室１への入室を許可された権限者となり、各従業員（権限者）は、認証のために、例えば従業員証を兼用する非接触式のＩＣカード３を所持している。
【００１５】
ここで、詳しく図示はしないが、ＩＣカード３について簡単に述べておく。このＩＣカード３は、プラスチック製の基材の表面に、所定の事項（従業員の氏名、所属部課、年齢、カードの有効期限等）が記載されていると共に、当該従業員の顔写真が付されている。そして、周知のように、ＩＣカード３内には、後述するカードリーダとの間で電磁波による通信を行うためのアンテナコイルや、データ通信処理やデータの保持等を行うためのＩＣチップが内蔵されている。ＩＣチップは、カードリーダの給電用信号から動作電源を得るための整流・平滑回路、通信等の制御を行うＣＰＵ、送受信信号の変調，復調を行う変復調回路、動作プログラム等を記憶するＲＯＭ、従業員固有のＩＤ情報を含むデータを記憶するメモリ等をワンチップ化して構成されている。
【００１６】
図１及び図２に示すように、前記室１は、この場合一つの出入口１ａを有しており、この出入口１ａは、扉４により開閉される。出入口１ａ部分には、前記扉４のロック、ロック解除を行うためのロック機構５が設けられている。この場合、前記扉４は、図示しないドアクローザにより閉塞方向に付勢されており、前記ロック機構５は、扉４が閉塞された状態で、自動でロック（施錠）を行うように構成されている。また、ロック機構５は、後述する制御装置からの信号によって、扉４のロックの解除（解錠）を行うようになっている。さらに、出入口１ａ部分には、扉４の開閉を検出するための扉開閉検知手段たる扉開閉検知センサ６が設けられている。尚、室１には、室内設備として、照明設備７や空調設備８が設けられている。
【００１７】
さて、本実施例では、前記権限者（従業員）の室１への入退室を管理する入退室管理システム２は、入口側認証端末としての入口側カードリーダ９、出口側認証端末としての出口側カードリーダ１０、全体を制御する制御装置１１を備えて構成されている。
【００１８】
そのうち入口側カードリーダ９は、前記出入口１ａの近傍の室外側の壁部に設けられている。詳しく図示はしないが、この入口側カードリーダ９は、筐体内に、前記ＩＣカード３のアンテナコイルとの間での電磁波による通信を行うためのアンテナ、このアンテナに接続された送受信回路、それらに接続された通信制御回路などからなる周知構成を備えている。これにて、入口側カードリーダ９は、筐体前面の読取部に近接配置されたＩＣカード３に対して電磁波による電力供給を行うと共に、データの通信（ＩＤ情報の読取り）を行うようになっている。
【００１９】
前記出口側カードリーダ１０は、前記入口側カードリーダ９と同様の構成を備えており、前記出入口１ａの近傍の室内側の壁部に設けられている。そして、これら入口側カードリーダ９及び出口側カードリーダ１０がＩＣカード３から読取ったデータ（ＩＤ情報）は、制御装置１１に入力されるように構成されている。これにて、詳しくは後述するように、権限者としての従業員は、自らの所持するＩＣカード３を、入口側カードリーダ９或いは出口側カードリーダ１０に読取らせる（かざす）ことにより、認証（権限者かどうかの確認）が行われるようになっている。
【００２０】
前記制御装置１１は、ＣＰＵ、ＲＯＭ、ＲＡＭ等からなるマイコンを含んで構成されており、入退室管理システム２全体の制御を行うようになっている。このとき、制御装置１１には、入室が許可された全ての権限者（従業員）のＩＤ情報（カードデータ）が予め登録されて記憶されるようになっている。上記のように、制御装置１１には、前記入口側カードリーダ９及び出口側カードリーダ１０からの読取りデータ（ＩＤ情報）が入力されるようになっており、制御装置１１は、予め登録された権限者（従業員）のＩＤ情報と比較することにより、権限者であるかの確認処理（認証）を行うようになっている。
【００２１】
また、上記のように、制御装置１１は、前記ロック機構５のロック解除の制御を行うようになっている。更に、制御装置１１には、扉開閉検知センサ６からの扉開閉信号が入力されるようになっている。また本実施例では、制御装置１１は、前記照明設備７及び空調設備８の電源を自動でオン・オフ制御させる機能も備えており、室内設備制御手段として機能するようになっている。尚、制御装置１１のＲＡＭには、各従業員（権限者）が室１内に在室しているかどうかを示す在室フラグが記憶されるようになっている。
【００２２】
そして、詳しくは後の作用説明（フローチャート説明）で述べるように、制御装置１１は、そのソフトウエア的構成により、前記入口側カードリーダ９又は出口側カードリーダ１０の認証動作（ＩＤ情報の読取り）によって権限者を確認することに基づいて、ロック機構５による出入口１ａの扉４のロックを解除させるようになっている。これと共に、権限者の入室及び退室の判断を後述のように行うようになっている。従って、制御装置１１が、ロック解除制御手段及び判断手段として機能するようになっている。
【００２３】
このとき、上記判断を行うにあたって、制御装置１１は、入口側カードリーダ９の認証動作により権限者が確認され、それに伴う扉４のロック解除後に扉開閉検知センサ６により扉４の開閉（閉塞から開放に変化したか）が検出され、その後、出口側カードリーダ１０の認証動作により同一の権限者が確認されたときに、当該権限者が入室したと判断する（当該権限者の在室フラグを１にする）ようになっている。
【００２４】
また、制御装置１１は、出口側カードリーダ１０の認証動作により権限者が確認され、それに伴う扉４のロック解除後に扉開閉検知センサ６により扉４の開閉（閉から開に変化したか）が検出され、その後、入口側カードリーダ９の認証動作により同一の権限者が確認されたときに、当該権限者が退室したと判断する（当該権限者の在室フラグを０にする）ようになっている。
【００２５】
更に、本実施例では、制御装置１１は、上記した入退室の判断を行うにあたって、扉開閉検知センサ６により扉の開閉が検出された後、一定のウエイト時間（例えば３０秒間）内に次の入口側カードリーダ９又は出口側カードリーダ１０の認証動作が行われないときに、エラー処理を実行するようになっている。そして、本実施例では、制御装置１１は、上記入退室の判断に基づいて、室１内に人が誰もいないと判断される場合に、前記照明設備７及び空調設備８の電源を自動でオフさせるようになっている。
【００２６】
次に、上記構成の作用について、図３及び図４も参照しながら述べる。上記のように、本実施例の入退室管理システム２においては、室１に入室したい従業員（権限者）は、図１に示すように、自らが所持するＩＣカード３を、入口側カードリーダ９に読取らせ（矢印Ａ）、扉４のロックが解除されると、扉４を開けて入室し（矢印Ｂ）、入室後（扉４を開けてから３０秒以内に）、先ほど読取らせたＩＣカード３を、今度は、出口側カードリーダ１０に読取らせる（矢印Ｃ）といった手順で操作を行うようにする。
【００２７】
また、室１内に在室していた従業員が退室したい場合には、図２に示すように、自らが所持するＩＣカード３を、出口側カードリーダ１０に読取らせ（矢印Ｄ）、扉４のロックが解除されると、扉４を開けて退室し（矢印Ｅ）、出入口１ａを出てから（扉４を開けてから３０秒以内に）、先ほど読取らせたＩＣカード３を、今度は、入口側カードリーダ９に読取らせる（矢印Ｆ）といった手順で操作を行うようにする。
【００２８】
図３のフローチャートは、入室の場合（待機状態から入口側カードリーダ９においてＩＣカード３の読取りがあった場合）に、入退室管理システム２（主として制御装置１１）において実行される処理の手順を示しており、図４のフローチャートは、退室の場合（待機状態から出口側カードリーダ１０においてＩＣカード３の読取りがあった場合）に、入退室管理システム２（主として制御装置１１）において実行される処理の手順を示している。
【００２９】
即ち、まず図３に示すように、待機状態から入口側カードリーダ９においてＩＣカード３の読取り操作があった場合には（ステップＳ１にてＹｅｓ）、ステップＳ２にて、入口側カードリーダ９が読取ったＩＣカード３のデータ（ＩＤ情報）が制御装置１１に入力される。ステップＳ３では、送られたＩＤ情報と、予め登録されているＩＤ情報とを比較することにより、入室を許可された権限者かどうかの認証が行われる。
【００３０】
認証がＯＫならば（ステップＳ３にてＹｅｓ）、次のステップＳ４にて、該当するカードデータ（権限者）に対応するＲＡＭ内の在室フラグが０になっているかどうかが判断される。ここで、上記ステップＳ３にて認証がＮＧであった場合（Ｎｏ）あるいは、ステップＳ４にて在室フラグが０でなかった場合には（Ｎｏ）、ステップＳ５にて、エラー処理、例えばブザーの鳴動やランプの点灯などによる報知が行われ、この後、待機状態に戻るようになる。この場合、扉４はロックされたままであるので、権限を有しない者が入室できないことは勿論である。
【００３１】
これに対し、認証がＯＫであり、且つ、当該権限者の在室フラグが０であった場合には（ステップＳ４にてＹｅｓ）、ステップＳ６にて、ロック機構５にロック解除信号が送られ、扉４のロックが解除される。次のステップＳ７では、扉開閉検知センサ６の信号から、扉４が閉状態から開状態に変化したかどうかが判断される。扉４が開かれた場合には（ステップＳ７にてＹｅｓ）、次のステップＳ８にて、ウエイト時間（例えば３０秒間）が設定され、カウントが開始される。
【００３２】
ステップＳ９では、出口側カードリーダ１０においてＩＣカード３の読取り操作があったかどうかが判断される。ここで、出口側カードリーダ１０におけるＩＣカード３の読取り操作がないままで（ステップＳ９にてＮｏ）、ウエイト時間が経過すると（ステップＳ１０にてＹｅｓ）、ステップＳ１１にてエラー処理が行われ、やはり例えばブザーの鳴動やランプの点灯などによる報知が行われ、待機状態に戻る。
【００３３】
ウエイト時間が経過する前に、出口側カードリーダ１０におけるＩＣカード３の読取り操作があった場合には（ステップＳ９にてＹｅｓ）、ステップＳ１２にて、出口側カードリーダ１０が読取ったＩＣカード３のデータ（ＩＤ情報）が制御装置１１に入力される。ステップＳ１３では、送られたＩＤ情報の認証が行われる。認証がＮＧであった場合には（ステップＳ１３にてＮｏ）、ステップＳ１６にてエラー処理が行われた上で、ステップＳ９に戻る。
【００３４】
ここで、認証がＮＧとなる理由としては、例えば、入室しようとする権限者が出口側カードリーダ１０に対してＩＣカード３の読取り操作を行おうとする直前に、他人が誤ったカードを読取らせようとしたケースや、或いは、入室しようとする権限者が間違ったカードを読取らせようとしたケースが考えられる。そこで、ステップＳ９に戻ることにより、入室しようとする権限者が今度は正しいＩＣカード３を読取らせるようにすれば、正規の入室の処理に戻ることができる。
【００３５】
そして、ステップＳ１３にて、認証がＯＫならば（Ｙｅｓ）、次のステップＳ１４にて、送られたＩＤ情報が、上記ステップＳ１にて入口側カードリーダ９が読取ったデータと一致するかどうかが判断される。ＩＤ情報が一致した場合、つまり同一の権限者によりＩＣカード３の読取り操作が行われた場合には（ステップＳ１４にてＹｅｓ）、ステップＳ１５にて、該当するカードデータ（権限者）に対応するＲＡＭ内の在室フラグを１（在室）にし、待機状態に戻る。
【００３６】
ステップＳ１４にてＩＤ情報が一致しなかった場合には（Ｎｏ）、ステップＳ１７に進み、該当する（ステップＳ９にて読取られた）カードデータ（ＩＤ情報）の権限者の在室フラグが１であるかどうかが判断される。ここで、在室フラグが１である場合には（Ｙｅｓ）、入室しようとした権限者が出口側カードリーダ１０に対してＩＣカード３の読取り操作を行おうとする直前に、既に在室していた別の権限者が、退室のために出口側カードリーダ１０にＩＣカード３を読取らせたケースが予測されるので、後述する図４のフローチャートのステップＳ２６に進む。
【００３７】
また、在室フラグが０であった場合には（ステップＳ１７にてＮｏ）、ステップＳ１６に進んで、エラー処理が行われた後、ステップＳ９に戻る。これにて、やはり入室しようとする権限者が正しいＩＣカード３を読取らせるようにすれば、正規の入室の処理に戻ることができる。
【００３８】
以上のようにして、権限者が室１に入室する場合には、自らが所持するＩＣカード３を、入口側カードリーダ９に読取らせ、入室後、出口側カードリーダ１０に読取らせるという、正規の手順を踏むことにより、当該権限者の在室フラグが１（在室）とされるのである。従って、権限者が、ＩＣカード３を入口側カードリーダ９に読取らせた後、扉４を開けたにもかかわらず、入室しなかったような場合には、当該権限者が入室したと判断されることはなくなり、入室を確実に判断することができるのである。
【００３９】
一方、室１に在室していた権限者が、退室する場合、つまり待機状態から出口側カードリーダ１０においてＩＣカード３の読取り操作が行われた場合には、図４のフローチャートに示す処理が実行される。即ち、出口側カードリーダ１０においてＩＣカード３の読取り操作があると（ステップＳ２１にてＹｅｓ）、ステップＳ２２にて、出口側カードリーダ１０が読取ったＩＣカード３のデータ（ＩＤ情報）が制御装置１１に入力される。ステップＳ２３では、送られたＩＤ情報と、予め登録されているＩＤ情報とを比較することにより、入室を許可された権限者かどうかの認証が行われる。
【００４０】
認証がＯＫならば（ステップＳ２３にてＹｅｓ）、次のステップＳ２４にて、該当するカードデータ（権限者）に対応するＲＡＭ内の在室フラグが１であるかどうかが判断される。ここで、上記ステップＳ２３にて認証がＮＧであった場合（Ｎｏ）あるいは、ステップＳ２４にて在室フラグが１でなかった場合には（Ｎｏ）、ステップＳ２５にて、エラー処理（ブザーの鳴動やランプの点灯などによる報知）が行われ、この後、待機状態に戻るようになる。
【００４１】
これに対し、認証がＯＫであり、且つ、当該権限者の在室フラグが１であった場合には（ステップＳ２４にてＹｅｓ）、ステップＳ２６にて、ロック機構５にロック解除信号が送られ、扉４のロックが解除される。次のステップＳ２７では、扉開閉検知センサ６の信号から、扉４が閉状態から開状態に変化したかどうかが判断される。扉４が開かれた場合には（ステップＳ２７にてＹｅｓ）、次のステップＳ２８にて、ウエイト時間（例えば３０秒間）が設定され、カウントが開始される。
【００４２】
ステップＳ２９では、入口側カードリーダ９においてＩＣカード３の読取り操作があったかどうかが判断される。ここで、入口側カードリーダ９におけるＩＣカード３の読取り操作がないままで（ステップＳ２９にてＮｏ）、ウエイト時間が経過すると（ステップＳ３０にてＹｅｓ）、ステップＳ３１にてエラー処理が行われ、待機状態に戻る。
【００４３】
ウエイト時間が経過する前に、入口側カードリーダ９におけるＩＣカード３の読取り操作があった場合には（ステップＳ２９にてＹｅｓ）、ステップＳ３２にて、入口側カードリーダ９が読取ったＩＣカード３のデータ（ＩＤ情報）が制御装置１１に入力される。ステップＳ３３では、送られたＩＤ情報の認証が行われる。認証がＮＧであった場合には（ステップＳ３３にてＮｏ）、ステップＳ３６にてエラー処理が行われた上で、ステップＳ２９に戻る。
【００４４】
そして、ステップＳ３３にて、認証がＯＫならば（Ｙｅｓ）、次のステップＳ３４にて、送られたＩＤ情報が、上記ステップＳ２１にて出口側カードリーダ１０が読取ったデータと一致するかどうかが判断される。ＩＤ情報が一致した場合、つまり同一の権限者によりＩＣカード３の読取り操作が行われた場合には（ステップＳ３４にてＹｅｓ）、ステップＳ３５にて、該当するカードデータ（権限者）に対応するＲＡＭ内の在室フラグを０にする。
【００４５】
さらに、ステップＳ３８にて、全ての在室フラグが０、つまり、室１内に誰もいないかどうかが判断され、全ての在室フラグが０である場合には（Ｙｅｓ）、ステップＳ３９にて、室１の照明設備７及び空調設備８をオフさせた後、待機状態に戻る。全ての在室フラグが０でない場合には（ステップＳ３８にてＮｏ）、そのまま待機状態に戻る。
【００４６】
一方、ステップＳ２４にてＩＤ情報が一致しなかった場合には（Ｎｏ）、ステップＳ３７に進み、該当する（ステップＳ２９にて読取られた）カードデータ（ＩＤ情報）の権限者の在室フラグが０であるかどうかが判断される。ここで、在室フラグが０である場合には（Ｙｅｓ）、退室しようとした権限者が入口側カードリーダ９に対してＩＣカード３の読取り操作を行おうとする直前に、別の権限者が、入室のために入口側カードリーダ９にＩＣカード３を読取らせたケースが予測されるので、図３のフローチャートのステップＳ６に進む。また、在室フラグが１であった場合には（ステップＳ３７にてＮｏ）、ステップＳ３６に進んで、エラー処理が行われた後、ステップＳ２９に戻る。
【００４７】
以上のようにして、権限者が室１から退室する場合には、自らが所持するＩＣカード３を、出口側カードリーダ１０に読取らせ、退室後、入口側カードリーダ９に読取らせるという、正規の手順を踏むことにより、当該権限者の在室フラグが０とされるのである。従って、権限者が、ＩＣカード３を出口側カードリーダ１０に読取らせた後、扉４を開けたにもかかわらず、退室しなかったような場合には、当該権限者が退室したと判断されることはなくなり、退室を確実に判断することができる。しかも、上記入退室の確実な判断に基づいて、照明設備７及び空調設備８を制御（不在時の電源オフ）することができる。
【００４８】
このように本実施例の入退室管理システム２によれば、権限者が、入口側カードリーダ９における認証動作によって扉４のロックを解除させて入室するだけでなく、権限者が実際に入室し、出口側カードリーダ１０の認証動作によって同一の権限者と確認されて初めて入室したと判断されることになる。また、退室時においても、出口側カードリーダ１０における認証動作によって扉４のロックを解除させて退室するだけでなく、権限者が実際に退室し、入口側カードリーダ９の認証動作によって同一の権限者と確認されて初めて退室したと判断されることになる。
【００４９】
これにより、入室時及び退室時に、夫々２回の認証動作を行うことによって、権限者の入室及び退室を確実に判断することができるのである。このとき、従来例で述べたような人感知センサ等の余分な構成を付加する必要はないので、安価な構成で済ませることができる。
【００５０】
また、特に本実施例では、確実な入退室の判断に基づいて、室１内の設備７，８を効果的に制御することができる。更に本実施例では、扉４の開閉が検出された後、一定時間内に次の認証動作が行われないときに、エラー処理を実行するように構成したので、権限者が入退室の仕方（カードリーダ９、１０）を誤った場合等に、速やかにエラー処理が行われるようになり、より有効となるものである。
【００５１】
尚、上記実施例では、入口側及び出口側の認証端末として、カードリーダ９，１０を採用した、非接触式のＩＣカード３をカードリーダ９，１０により読取るように構成したが、本発明における、認証を行うための手法としては、他にも、ＲＦＩＤタグを用いる、ＩＤを記録した磁気カードを用いる、バーコードや二次元コード等のコードを記したカードを用いる、暗証番号（パスワード）を用いる、指紋，声紋，静脈等の権限者の身体的特徴を用いる等、様々な手法を採用することが可能である。従って、それらに応じて、認証端末としても様々な構成のものを採用することができる。
【００５２】
また、上記実施例では、入退室管理システム２により、室１内の照明設備７や空調設備８を制御するようにしたが、設備として、各種事務機器の電源や、給湯設備の電源などの制御を行うようにしても良く、また、そのような室内設備の制御は必要に応じて行うようにすれば良い。さらには、１つの室に２つ以上の出入口を備える場合にも、各出入口部分に夫々入口側、出口側の認証端末を設けることにより、同様に実施することができる。その他、一定時間（ウエイト時間）についても、３０秒間に限らず適宜設定することができる等、本発明は要旨を逸脱しない範囲内で適宜変更して実施し得るものである。
【図面の簡単な説明】
【００５３】
【図１】本発明の一実施例を示すもので、入退室管理システムの構成を概略的に示す平面図（入室時）
【図２】入退室管理システムの構成を概略的に示す平面図（退室時）
【図３】入室時の処理手順を示すフローチャート
【図４】退室時の処理手順を示すフローチャート
【符号の説明】
【００５４】
図面中、１は室、１ａは出入口、２は入退室管理システム、４は扉、５はロック機構、７は扉開閉検知センサ（扉開閉検知手段）、７は照明設備（設備）、８は空調設備、９は入口側カードリーダ（入口側認証端末）、１０は出口側カードリーダ（出口側認証端末）、１１は制御装置（ロック解除制御手段、判断手段、室内設備制御手段）を示す。
【図１】
2008297804.tif 000003
【図２】
2008297804.tif 000004
【図３】
2008297804.tif 000005
【図４】
2008297804.tif 000006